(57)【要約】【課題】ネギ栽培で作溝される植付溝の壁面が崩れ難く、作溝と同時に肥料を投入する肥料投入口が砂質土壌で目詰まりすることなく、施肥後に覆土して植付溝の溝底面が均一に仕上げられる砂丘地用施肥溝切り機を提供すること。【解決手段】本機Ａは平面視舟形で先端部の切っ先部１と、これに接続する平面視が後端に向けて末広がり状で、横断面視が上方へ末広がり状に形成された胴部３とから成り、底面開口部６の後方には覆土成形体１１を設け、前方に設けた施肥部取付け体１４を介して姿勢制御部１９で本機Ａを制御し、左右の溝切り成形板５をターンバックル１５で支持し、その上端に張り出した崩落防止板４と切っ先部１から外方へ延設した排土板２０間に押圧調整部２１が設けられる。一方、施肥部取付け体１４に取着される施肥部２５は、肥料投入部２７とその一側に設ける切込み部２８と、これに対向する他側に設ける肥料繰出部２９から成る。【選択図】  図３
2004298032.tif 000002
【特許請求の範囲】
【請求項１】
平面視舟形で先端部に設ける所要高さの切っ先部と、該切っ先部の後端に連接する胴部とから成り、該胴部は左右にその上端を下端より幅広に間隔を広げ、かつ、後端に向けて平面視末広がり状に配設し前記各上端に外側へ突出する崩落防止板を設けた溝切り成形板と、底面開口部の後方に前面を台形状に開口し、上面後傾面の後端を底面後端枠に連接し、左右の傾斜面の下端を左右の各下端枠に連接した覆土成形体と、底部前方に左右方向への水平軸を中心に揺動自在に軸支される施肥部取付け体と、前記各左右の溝切り成形板を間隔調整自在に支持する間隔調整部と、前記施肥部取付け体と前記後端枠間に介在させる姿勢制御部とから成り、前記切っ先部にはその後端上部左右にそれぞれ前記各溝切り成形板より外方へ湾曲状にはね出した排土板を設け、該排土板と前記崩落防止板間には押圧調整部を介在させて成る砂丘地用施肥溝切り機。
【請求項２】
前記施肥部取付け体に、肥料投入口を縦設した筒状の肥料投入部と、該肥料投入部の一側に連接してその前方及び下端より下方へ突出して設けられる切込み部と、前記一側に対向する他側で肥料投入口に連通して後方に突設される肥料繰出部とから成る施肥部を接合して成る請求項１記載の砂丘地用施肥溝切り機。
【発明の詳細な説明】
【０００１】
【発明の属する技術分野】
本発明は、農業機械の付属具に属し、ネギ植え付けに関連する植付溝を溝切りするとともに、肥料を施しできる移植技術に関する。
【０００２】
【従来の技術】
在来の砂丘地等でのネギ栽培は、歩行型管理機を基幹とした作業体系で行われていた。
上記作業体系の中で施肥と溝切りでは使用する作業機が異なることに加えて施肥後の耕起が必要であるために能率が低かった。そのため施肥と溝切りが同時にでき、労力の軽減化と高能率化を達成できる移植技術の開発が要望されている。
【０００３】
【発明が解決しようとする課題】
従来のロータリ耕耘装置の後方に配備された作溝機（例えば特開平１０−１２７１１２号に開示された作溝機など）による植付溝は、砂丘地ではその壁面が崩落し易く、肥料投入口の下端を植付溝の底面近傍に配置した状態では、肥料投入口に砂質土壌が入り込み目詰まりするなどの問題があった。
そこで、本発明は、ネギ栽培で作溝される植付溝の壁面が崩れ難く、肥料投入口が砂質土壌で目詰まりすることなく、施肥後に覆土して植付溝の溝底面が均一に仕上げられる砂丘地用施肥溝切り機を提供するものである。
【０００４】
【課題を解決するための手段】
上記課題を解決する請求項１に記載の砂丘地用施肥溝切り機は、平面視舟形で先端部に設ける所要高さの切っ先部と、該切っ先部の後端に連接する胴部とから成り、該胴部が左右にその上端を下端より幅広に間隔を広げ、かつ、後端に向けて平面視末広がり状に配設し、前記各上端に外側へ突出する崩落防止板を設けた溝切り成形板と、底面開口部の後方に前面を台形状に開口し、上面後傾面の後端を底面後端枠に連接し、左右の傾斜面の下端を左右の各下端枠に連接した覆土成形体と、底部前方に左右方向への水平軸を中心に揺動自在に軸支される施肥部取付け体と、前記各左右の溝切り成形板を間隔調整自在に支持する間隔調整部と、前記施肥部取付け体と前記後端枠間に介在させる姿勢制御部とから成り、前記切っ先部にはその後端上部左右に、それぞれ前記各溝切り成形板より外方へ湾曲状にはね出した排土板を設け、該排土板と前記崩落防止板間には押圧調整部を介在させて成る。
また、請求項２に記載の砂丘地用施肥溝切り機は、請求項１に記載の砂丘地用施肥溝切り機において、
前記施肥部取付け体に、肥料投入口を縦設した筒状の肥料投入部と、該肥料投入部の一側に連接してその前方及び下端より下方へ突出して設けられる切込み部と、前記一側に対向する他側で肥料投入口に連通して後方に突設される肥料繰出部とから成る施肥部を接合して成る。
【０００５】
【発明の実施の形態】
胴部を構成する溝切り成形板によって形成される植付溝は逆台形状で溝底幅が略２３ｃｍ、最大溝幅は略３３ｃｍ、溝深さは略２０ｃｍであり、施肥部によって形成される施肥深度は５．５ｃｍであり、施肥位置は溝中心から壁面方向へ４．３ｃｍである。
また、間隔調整部や姿勢制御部、押圧調整部は、ターンバックルによるものから一方に軸支されたスライダーと他方に支持されたスライダー受間を締めネジで固定するなどである。施肥部の肥料投入部は平面視二等辺三角形状のものから四角など各種の筒体が選択され、掘削部と肥料繰出部とは胴部の長手方向に沿って一直線上に位置決め配設され、切込み部は植付溝の底面にさらに深く一条のＶ溝を形成する。
【０００６】
【実施例】
本発明を一実施例により説明すると、図１に示すように、砂丘地用施肥溝切り機（以下、単に本機とする。）Ａは、平面視舟形で先端部に設ける所要高さの横向きＶ状の切っ先部１と、切っ先部１の後端に設けた仕切り壁２に連接する胴部３とから成り、胴部３は左右にその上端を下端より幅広に間隔を広げ、横断面視が上方へ末広がり状で、後端に向けて平面視末広がり状に配設され、前記各上端に外側へ突出する翼状の崩落防止板４を設けた溝切り成形板５と、底面の開口部６の後方に前面を台形状に開口し、上面頂部の後傾面７を開口部６の後端枠８の下端に連接し、左右の傾斜面９の下端を左右の各下端枠１０の下端に連接した覆土成形体１１と、仕切り壁２の下方に張り出した一対の軸受板１２に左右方向への水平軸１３を中心に上下に揺動自在に軸支される施肥部取付け体１４と、前記各左右の溝切り成形板５の各内面にそれぞれの軸端をピン接合される間隔調整部としてのターンバックル１５と、施肥部取付け体１４に案内筒１６の一端がピン接合され、案内筒１６に摺動案内される支持棒１７の他端が開口部６の後端枠８の上面にピン接合され、両者が押しネジ１８で位置決めされる姿勢制御部１９とから成り、切っ先部１にはその後端の上部左右にそれぞれ各溝切り成形板５より外方へ凹状に湾曲させた排土板２０を設け、排土板２０と前記崩落防止板４間には押圧調整部２１として、支持棒２２の一端が排土板２０の内面にピン接合され、支持棒２２の他端が崩落防止板４の上面に立設された軸受筒２３に案内され、両者が押しネジ２４で位置決めされ、排土板２０が所定の押圧状態で保持されて成る。
【０００７】
一方、施肥部２５は平面視二等辺三角形状の肥料投入口２６を有する三角筒状の肥料投入部２７と、肥料投入部２７の二等辺に挟まれる頂角側に連接して、図３に示すように、肥料投入部２７の下端より前方斜め下方向に突設する切込み部２８と、前記頂角に対面する辺側に連接して後方に突設する肥料繰出部２９とから成る。肥料投入部２７の切込み部２８と肥料繰出部２９を形成する下側側面部３０は、上部の施肥部取付け体１４の三角孔への取付け部３１（上側側面部）よりも幅広に末広がり状に形成したものであるから、切込み部２８にはその両下端から前記頂角の下端に至るＶ状の切込み縁３２が形成されるとともに、肥料繰出部２９にも肥料投入口２６に連通する台形状の繰出口３３が形成される。
【０００８】
このようにして成る本機Ａは、図３に示すように、施肥部取付け体１４の四角筒状の支柱３４の上部に接合された取付け枠３５を介して所要間隔に二連の状態でトラクタに付属したロータリ（図外）に取着され、姿勢制御部１９の支持棒１７と案内筒１６との係合位置が選択されて本機Ａの切っ先部１の切込み姿勢が決定され、押しネジ１８で位置決めされ、施肥部２５の肥料投入部２７が施肥部取付け体１４の三角孔を有する受け体３６にその取付け部３１が挿通され、ボルト３７で固定され、肥料投入部２７の肥料投入口２６に一端を挿入されたホース３８の他端を肥料を収納するホッパー３９に連接した強制供給部４０の送出口に連通して成る。
そして、胴部３の両側に配設される両溝切り成形板５はターンバックル１５によって適度に張設されて使用される。
【０００９】
使用状態では、施肥部２５の切込み部２８はその切込み縁３２を胴部３の開口部６の下面より所要分垂下させた状態で作溝作業に入るから、図４に示すように、胴部３によって壁面４２のしっかりした逆台形状の植付溝４３が形成されるとともに、植付溝４３の底面にさらに深く一条のＶ溝４４が形成され、Ｖ溝４４にホッパーから供給される肥料が肥料繰出部２９より投入され、切込み部２８によって左右に排除された砂質土壌は肥料繰出部２９への抱き込み量が少なく目詰まりすることなく良好な状態で肥料が施され、開口部６の後方に設けた覆土成形体１１によってＶ溝４４は覆土され植付溝４３の溝底面が均一に仕上げられる。砂質土壌の性状によっては、切っ先部１の姿勢制御のみならず、排土板２０にピン接合した支持棒２２が軸受筒２３を介して適宜に出入されて押しネジ２４で位置決めされ、排土板２０は適宜に押圧調整される。
【００１０】
【発明の効果】
本発明の砂丘地用施肥溝切り機によれば、胴部の左右両溝切り成形板が、平面視末広がり状で横断面視上方へ末広がり状に配設されたものであるから、作溝時に形成される逆台形状の植付溝は、その壁面が強く締め固められその左右上面も崩落防止板及び排土板で押さえられて壁面の崩落現象が解消し、姿勢制御部によって施肥部取付け体に対して本機が上下にその姿勢を変更できるから、砂質土壌の性状に応じて、その最適な切込み姿勢を確保でき、さらには、開口部後方に設ける覆土成形体によって施肥部で作溝されて肥料が施されたＶ溝が覆土され、植付溝の溝底面が均一に仕上げられる。施肥部ではその切込み部が前方斜め下方向に突出するものであるから、Ｖ溝が作溝されることで肥料繰出部と肥料投入部の底面への砂質土壌の抱き込み量を低下させ、施肥部の下側側面部を上側側面部よりも幅広に傾斜（末広がり）させて形成したものであるから、施肥部底面に対する砂質土壌の排出性を向上させ、目詰まりを解消させる。
このほか、作溝作業と施肥作業が同時にできることから、秋田県の主要品目の一つであるネギの栽培作業での労力の軽減化と高能率化が達成される。
【図面の簡単な説明】
【図１】本発明の砂丘地用施肥溝切り機Ａの平面図である。
【図２】同上本機Ａの背面図である。
【図３】同上本機Ａの要部を破断した使用状態の一側面図である。
【図４】作溝状態の縦断面図である。
【符号の説明】
１  切っ先部
２  仕切り壁
３  胴部
４  崩落防止板
５  溝切り成形板
６  開口部
７  後傾面
８  後端枠
９  傾斜面
１０  下端枠
１１  覆土成形体
１２  軸受板
１３  水平軸
１４  施肥部取付け体
１５  ターンバックル
１６  案内筒
１７  支持棒
１８  押しネジ
１９  姿勢制御部
２０  排土板
２１  押圧調整部
２２  支持棒
２３  軸受筒
２４  押しネジ
２５  施肥部
２６  肥料投入口
２７  肥料投入部
２８  切込み部
２９  肥料繰出部
３０  下側側面部
３１  取付け部
３２  切込み縁
３３  繰出口
３４  支柱
３５  取付け枠
３６  受け体
３７  ボルト
３８  ホース
３９  ホッパー
４０  強制供給部
４１  送出口
４２  壁面
４３  植付溝
４４  Ｖ溝
Ａ  砂丘地用施肥溝切り機
【図１】
2004298032.tif 000003
【図２】
2004298032.tif 000004
【図３】
2004298032.tif 000005
【図４】
2004298032.tif 000006